(57)【特許請求の範囲】
【請求項１】
本体（２）の下端に固着した下部カバー（４）と同カバーの開口部（４ａ）に対し取脱自在に挿着する密閉蓋（６）との間を連結紐（８）で連結するものにおいて、上記連結紐（８）の中間部を、上記下部カバー（４）に形成した連結孔（４ｃ）に挿通し、該連結孔（４ｃ）における上記密閉蓋（６）が連結された側と反対側へ引き出した連結紐（８）には、上記連結孔（４ｃ）の孔径より大きく且つ連結紐（８）の摺動を規制する緩衝部材（９）を挿通止着して、密閉蓋（６）と下部カバー（４）間の連結紐（８）の長さを短く設定し、さらに上記反対側へ引き出した連結紐（８）の他端側は途中で折り返して余長部分（８ｃ）を形成するとともにその折り返し状態を仮保持し、更に余長部分（８ｃ）の先端部には、上記緩衝部材（９）より紐が抜けないようにする抜け止め部を設けたことを特徴とする円筒形カットアウトの密閉蓋の取り付け構造。
【発明の詳細な説明】
【０００１】
【発明の属する技術分野】
本願発明は、高圧配電線路の変圧器１次側保護用として使用される円筒形カットアウトの密閉蓋の連結紐による取り付け構造の改良とに係り、密閉蓋の脱着操作性を高めるようにするとともに大電流遮断時におけるヒユーズ筒よりの放出圧力（アーク及びガス）によリ連結紐が切断しないようにしたものである。
【０００２】
【従来の技術】
高圧配電線路の変圧器１次側保護用として使用される円筒形カットアウトには、その下端部に固着する下部カバーの開口部からの本体内への汚損粒子等の侵入を阻止のため密閉蓋が取脱自在に挿着されている。この密閉蓋の取り付け構造としては、例えば図１４及び図１５（実公昭５８−５０５９５号公報）に示すように、連結紐１０１によりカットアウト本体側の下部カバー１０６に縛着された構成になっている。そしてカットアウト本体内に装着するヒユーズ筒のヒユーズに過負荷事故等により過電流が流れた場合には、ヒユーズが溶断し、それに伴ってヒユーズ筒が同筒に備えるコイルバネにより垂下し、垂下によって同筒の下端が密閉蓋１００の上面に衝突して、同蓋が図１５のように連結紐１０２，１０３により吊り下げられた状態になる。
【０００３】
また短絡事故が発生した時のように大電流がヒユーズに流れ場合は、ヒユーズ筒の下端のアーク放出口からアーク及びガスが一挙に下方へ向かって放出され、このガス等によって、下部カバーの開口部に挿着した密閉蓋１００が勢い良く下方に吹き飛ばされ、連結紐１０１には上記の放出に伴って衝撃的な引っ張り力が働くことになる。そして上部分１０２と下部分１０３の２つに分かれた連結紐１０１は同紐に挿通止着した摩擦部材１０４の摺動孔内を上部分と下部分が適度の抵抗を受けながら相対的に摺動し、長く引き伸ばされ、連結紐に対する衝撃的な引っ張り力を緩和（緩衝）して同紐の大電流遮断時における切断事故が防止できるようになっている。
【０００４】
【発明が解決しようとする課題】
ところで、上記従来構造にあっては、連結紐に吊り下げられた開蓋状態の密閉蓋を下部カバーの開口部に対し挿着（又は再挿着）する場合、安全作業上の立場から絶縁性の操作棒を使用して行われる。つまり、操作棒の先端側の挿入孔を密閉蓋の持ち手部１０５に差し込んで操作棒にセットし、同蓋１００を持ち上げるようにして下部カバー１０６に挿着するようにしている。
【０００５】
しかしながら、図１４及び図１５により図示するように下部カバー１０６と密閉蓋１００間の連結紐１０１の長さ（Ｌ）が比較的長いため同蓋１００の開蓋状態にあっては同蓋１００が下部カバー１０６より下方へ長く吊り下げられた状態となり、操作棒により密閉蓋１００を再挿着しようとする場合は、蓋１００が不安定な状態にあるため同蓋が差し込み時に大きく動き（揺れて）操作棒での拘束（差し込み）が難しくなり、挿着（閉蓋）操作が非常にやりにくいと言う問題があった。
【０００６】
また、閉蓋時、密閉蓋と下部カバー間に位置する連結紐の長さＬが長いため風圧を受けて同蓋が不用意に外れたりする問題もあった。
また着雪により同紐が重くなって自然開蓋し、密閉蓋本来の下部カバーの開口部に対する密閉機能が損なわれてしまうという問題もあった。
【０００７】
【課題を解決するための手段】
本願発明は上記問題点を解決するためのもので、請求項１記載の第１の発明は、本体（２）の下端に固着した下部カバー（４）と同カバーの開口部（４ａ）に対し取脱自在に挿着する密閉蓋（６）との間を連結紐（８）で連結するものにおいて、上記連結紐（８）の中間部を、上記下部カバー（４）に形成した連結孔（４ｃ）に挿通し、該連結孔（４ｃ）における上記密閉蓋（６）が連結された側と反対側へ引き出した連結紐（８）には、上記連結孔（４ｃ）の孔径より大きく且つ連結紐（８）の摺動を規制する緩衝部材（９）を挿通止着して、密閉蓋（６）と下部カバー（４）間の連結紐（８）の長さを短く設定し、さらに上記反対側へ引き出した連結紐（８）の他端側は途中で折り返して余長部分（８ｃ）を形成するとともにその折り返し状態を仮保持し、更に余長部分（８ｃ）の先端部には、上記緩衝部材（９）より紐が抜けないようにする抜け止め部を設けたことを特徴とする円筒形カットアウトの密閉蓋の取り付け構造である。
【０００９】
【発明の実施形態】
図１乃至図１３に示す実施例に基づいて本発明の実施の形態について説明する。
【００１０】
１は円筒形カットアウト、２は磁器製の本体、２ａは磁器本体の下端部、３は本体内に交換可能に装着する放出型のヒユーズ筒、３ａはヒユーズ筒の下端のアーク放出口、４は本体の下端部に接着剤５により固着した合成樹脂製の下部カバー、６は同カバーの開口部４ａに取脱自在に挿着した合成樹脂製の密閉蓋であり、閉鎖部６ａと、持ち手６ｂと、止着孔６ｃとからなる。
【００１１】
７は上記下部カバー４の開口部４ａにおける内周面に設けた複数のバネ係合片で、上記密閉蓋６を圧入することにより、その密閉蓋６がバネ係合片７を押し開いて後にバネ係合片７の内面に係止されて閉蓋状態が保持され、また閉蓋状態において、所定圧で密閉蓋６の上面を押圧すると、バネ係合片７のバネ圧に抗して蓋６が外脱するようになっている。
【００１２】
８は例えばナイロンロープ等のように伸縮性と強靱な引っ張り強度と柔軟性等を有する素材からなる連結紐であり、密閉蓋６と下部カバー４間を連結するためのもので、カットアウトに対し次のようにして組み付けられている。
【００１３】
図２において、連結紐８の一端部に輪８ａを作って、上記下部カバー４に形成した連結孔４ｃの孔径より大きな結び目８ｂを作る。その輪８ａに紐の他端側を通してその途中の１カ所或いは２カ所を仮り止め用の結束部材１０で束ねて折り返し部分（余長部分）８ｃを作る。尚、この結束部材１０としては、結束状態において、所定の衝撃を受けた場合に容易に結束状態が外れたり切断するように仮り止め的に構成されており、例えば樹脂製や布製のバンドに仮り止め部を形成して該仮り止め部が衝撃で外れたり、衝撃で切断するようにしたものなどを使用する。
【００１４】
上記輪８ａに通した他端側の紐には、ＥＰＲやネオプレンゴム等のゴムやその他弾性を有する材料であって、図１３に示すような厚肉の中空パイプからなる緩衝部材９を、その孔９ａによって挿通止着する。さらにその先端側の紐を緩衝部材９が下部カバー４の連結孔４ｃの上方側の端面４ｃ1に位置する（当接する）ように同孔４ｃの上方側から差し込む。さらに同孔４ｃに差し込んで端面４ｃ2 から突出した紐には突出した直ぐの所に位置して、連結孔４ｃの孔径より大きな結び目８ｄを作って連結孔４ｃ内の連結紐８ｅが所定以下の引き力では動かないようにする。さらに紐の先端を密閉蓋６側の持ち手６ｂの根元に位置して形成した止着孔６ｃに通し、同孔６ｃの反対側に突出した先端の紐に、止着孔６ｃの孔径より大きな結び目８ｆを作って同紐が止着孔６ｃから抜けないように連結（縛着）している。
【００１５】
なお、上記にあって連結紐８は、図３に示すような開蓋時において、密閉蓋６と下部カバー４間の長さＬ1 が同蓋の挿着作業に支障を来さない程度に極力短く設定されていて開蓋時において密閉蓋６が長く吊り下げられた状態にならないようにしている。
【００１６】
上記構成の密閉蓋の取付構造にあって、ヒユーズが過電流で溶断した場合は次の動作する。
ヒユーズ筒３がコイルバネ（特に図示しない）により垂下してその下端が密閉蓋６の上面６ｄに衝突すると、同蓋は衝突により係合片７からの保持が解かれて落下し、図３に示すように連結紐８に吊り下げられた状態になる。
【００１７】
また、ヒユーズが短絡電流等の大電流で遮断した場合は、次のように動作する。
ヒユーズ筒３の下端放出口３ａからアーク及びガスが一挙に放出されるため、そのガス圧により密閉蓋６は下方に勢いよく吹き飛ばされる。このとき、連結紐８は下部カバー４の連結孔４ｃの上方端側に位置して同端面４ｃ1 に当接する緩衝部材９の摺動孔９ａ内を強い摩擦抵抗を受けながら摺動して下方へ引っ張られる。尚、この摺動時の抵抗は、連結紐８の編み方、紐径と緩衝部材９の摺動孔９ａの大きさの関係によって差が生じ、また、密閉蓋６に加わる力（衝撃）は遮断時の電流値により差がある。そのためこれらにより連結紐８が引き出されて伸長する長さは異なる。更に、密閉蓋６に加わる衝撃力が強い場合には、仮り止め用の結束部材１０が輪８ａに当たって、衝撃力によりその結束部材１０の仮り止め部が外れたり結束部材１０自体が切断されて余長部分８ｃも図６に示すように引き出されて緩衝される。
【００１８】
また、上記において、この連結紐の余長部分８ｃが引き出されただけでは衝撃が吸収されず紐８に大きな衝撃が仮に作用した場合は、弾性を有する緩衝部材９に結び目８ｂが当り、緩衝部材９自体の変形によって衝撃を吸収し、紐の切断を防止することができるようになっている。
【００１９】
また、さらにこの際、結束部材１０や連結紐の輪８ａについても連結紐８が摺動するのを補助的にブレーキ をかけることになる。なお、緩衝部材９として上記は厚肉、パイプ状のものを使用したが、このほか変形、加工しやすい（硬度の小さい）銅やアルミ製の金属パイプを使用し、これを連結紐８に対し適度な摩擦力が得られるように締め付ける方法であっても良い。
【００２０】
次に１２は、円筒形カットアウト用の操作棒であり、合成樹脂等の絶縁性部材により成形されており、図７乃至図１２に示すように、ヒューズ筒３の交換時に使用する挿入孔１２ａを先端に形成し、また先後端（上下端）間の絶縁沿面距離を確保するための複数の鍔１２ｂを中間に形成し、また操作用の握り部１２ｃを後端に形成し、さらに上記先端側に位置して折り畳み式のアタッメント１３を備えた構成である。
【００２１】
上記アタッチメント１３は、図７、図１０、図１１及び図１２に示すように、上部にフック状の支承部１３ａを、中間部に支持部１３ｂを、下端に取付部１３ｃを一体形成している。
【００２２】
上記支承部１３ａは、該アタッチメント１３の直立状態において、水平方向にＵ状に形成されており、その開口部１３ｄが上記密閉蓋６の持ち手６ａの外径より若干大きい幅に形成されている。また、支承部１３ａの中間部１３ｅはＶ状に傾斜し、後端部１３ｆは下降傾斜している。この中間部１３ｅの両杆の幅は、上記持ち手６ａより若干大きい幅に形成され、これに挟まれた持ち手６ａが上下方向に傾き回転できるようになっている。
【００２３】
上記支承部１３ａの開口部１３ｄにおける両杆は夫々中心方向に傾斜した後上記中間部１３ｅ直下において直立状態に折曲され、該部が支持部１３ｂとなっている。
【００２４】
上記２本の平行する支持部１３ｂの夫々の下端は内側へ折曲されて取付部１３ｃとなっている。
上記アタッチメント１３はバネ性（両中間部１３ｂ，１３ｂ相互の開閉方向のバネ性）を有する例えば金属製のステンレス線材、さらに言えば被覆付き（又はコーティング部材付き）ステンレス線やアルミ棒材が素材として適しており、若干のプレス加工及び折り曲加工により所定形状に形成されている。
【００２５】
そして、上記のアタッチメント１３は、その両取付部１３ｃ，１３ｃが、上記操作棒１２の両側に形成した取付穴１２ｅに回転可能に嵌合されるようになっており、更に、操作棒１２の上部両側には図８に示すような一対の係合突起１２ｄが形成され、アタッチメント１３を直立姿勢にした場合にその中間部１３ｂが係合突起１２ｄに嵌合して、アタッチメント１３の直立姿勢を保持できるようになっている。
【００２６】
次に操作棒を使用して密閉蓋を挿着する場合の操作について説明する。
保守点検等の際に密閉蓋６を開蓋し、ヒユーズ筒３を本体２から抜き取って電路開放することがあるが、この場合は、アタッチメント１３を図７の鎖線１３′のように倒した状態で操作棒１２の先端側の挿入孔１２ａを蓋側の持ち手６ａに差し込み、その状態で操作棒１２を若干捻って（持ち手６ａの半径方向へ傾けて）密閉蓋６を外したり或いは連結紐８の弛み部分に操作棒を引っ掛けて下方に引っ張り、同蓋６を開放する。
【００２７】
また操作棒１２によりヒユーズ筒３を本体へ再挿着が終了した後に、図３に示すような吊り下げ状態の密閉蓋６を閉蓋する場合は、操作棒１２の先端側に備えたアタッチメント１３を回転させて図７の実線状態に直立に起こし、その支持部１３ｂを係合突起１２ｄに係合させて、そのアタッチメント１３を直立状態に固定する。そしてアタッチメント１３の先端の支承部１３ａ内に図３の状態の密閉蓋６の持ち手６ａを開口部１３ｄから挟むように挿入して密閉蓋６を下から持ち上げると、同蓋６は、その持ち手６ａの下端が図５に示すように下向き直立の姿勢になりながら持ち上げられ、支承部１３ａ上にセツトされる。そしてそのまま操作棒１２を、密閉蓋６を下部カバー４の開口部４ａの直下に位置させて押し上げ、図５に示すように密閉蓋６を下部カバー４ヘ挿着する。
【００２８】
【発明の効果】
以上のようであるから、本発明によれば、密閉蓋と下部カバー間を連結する連結紐の長さが常時は同蓋の挿着に差し支えない程度に極力短く設定されているため、密閉蓋を閉じる場合の密閉蓋の開口支点が下部カバーに近くなり、丁度、密閉蓋を蝶番式で開閉する方式と同様の方法で閉蓋でき、従来のように長い紐で密閉蓋がぶらつくものに比べて操作棒による密閉蓋の挿着操作性が向上する。
【００２９】
また、上記の如く常時は連結紐が短い状態にあるため風等による揺れが小さくなり、同紐の腕金等の接地側部材に対する接触が無くなり、したがって連結紐を介して漏洩電流が流れず、連結紐の焼損による切断事故が防止できる。
【００３０】
また、常時は連結紐が短い状態にあるため、同紐が風圧を受けにくくなり風による密閉蓋の不用意な落下事故が防止でき、更に紐への着雪による自然開蓋も防止できる。
【００３１】
また、大電流遮断時に密閉蓋が下方に急激に吹き飛ばされる際に同蓋に縛着する連結紐が緩衝部材の摺動孔を摩擦しながら摺動して長く伸び、同蓋及び連結紐に加わる衝撃力を緩衝（吸収）するため、蓋の破損や紐の切断事故が防止できる。
【００３２】
また、大電流遮断発生後にカットアウトを点検する場合には連結紐の伸張具合（摺動した度合い）を見て電流値の大きさが推測できるため事故の様相や原因の追求に役立てることが可能になる。
【図面の簡単な説明】
【図１】本発明の実施例を示すもので、密閉蓋を挿着した状態の円筒形カットアウトの一部破断した側面図。
【図２】図１の要部拡大図。
【図３】溶断により密閉蓋が開いて吊り下げられた状態の側面図。
【図４】操作棒側のアタッチメントの支承部にカットアウト側の密閉蓋の持ち手がセットされる途中の取り付け状態を示す。
【図５】密閉蓋の挿着操作完了直後の状態を示す。
【図６】大電流遮断した状態の密閉蓋の吊り下げ状態を示す。
【図７】本願発明の操作棒の外観図。
【図８】操作棒の先端部付近の斜視図。
【図９】操作棒の上方から見た図。
【図１０】アタッチメントの正面図。
【図１１】アタッチメントの斜視図
【図１２】アタッチメントの上面図
【図１３】緩衝部材の斜視図。
【図１４】円筒形カットアウトの連結紐の取り付け構造の従来例を示す。
【図１５】図１４における連結紐の取り付け構造の拡大図。
【符号の説明】
２          本体
４          下部カバー
４ａ        開口部
４ｃ        連結孔
６          密閉蓋
６ａ        持ち手
８          連結紐
８ａ        輪
８ｂ，８ｄ  結び目
８ｅ        余長部分（折り返し部分）
９          緩衝部材
１２        操作棒
１３        アタッチメント
１３ａ      支承部
【図１】
0003748618.tif 000002
【図２】
0003748618.tif 000003
【図３】
0003748618.tif 000004
【図４】
0003748618.tif 000005
【図５】
0003748618.tif 000006
【図６】
0003748618.tif 000007
【図７】
0003748618.tif 000008
【図８】
0003748618.tif 000009
【図９】
0003748618.tif 000010
【図１０】
0003748618.tif 000011
【図１１】
0003748618.tif 000012
【図１２】
0003748618.tif 000013
【図１３】
0003748618.tif 000014
【図１４】
0003748618.tif 000015
【図１５】
0003748618.tif 000016